(57)【要約】【課題】測定ユニットから本体に無線で測定データを送信する測定装置において、測定ユニット側に操作部や表示部が無くても、測定ユニット側で動作指示を行うことができる測定装置を提供する。【解決手段】測定データを測定する測定ユニット２と本体１とが各々無線通信部を有し、測定ユニット２の動作内容を指示する動作指示を、本体１から測定ユニット２に無線で送信可能であると共に、測定ユニット２から本体１に測定データを無線で送信可能な測定装置は、測定ユニット２が、マイク４１又は外部マイク５０を接続可能なコネクタ４２を備え、このマイク４１等から入力される音声信号を、本体１に無線で送信可能であり、本体１が、音声信号の内容を認識して文字情報に変換する音声認識部と、この音声認識部の認識した文字情報に基づいて、測定ユニット２に対する動作指示を決定する動作指示部とを備えるものである。【選択図】図１
2014119585.tif 000002
【特許請求の範囲】
【請求項１】
測定データを測定する測定ユニットと本体とが各々無線通信部を有し、前記測定ユニットの動作内容を指示する動作指示を、前記本体から前記測定ユニットに無線で送信可能であると共に、前記測定ユニットから前記本体に前記測定データを無線で送信可能な測定装置であって、
前記測定ユニットが、音声入力部を備え、この音声入力部から入力される音声信号を、前記本体に無線で送信可能であり、
前記本体が、前記音声信号の内容を認識して文字情報に変換する音声認識部と、この音声認識部の認識した文字情報に基づいて、前記測定ユニットに対する前記動作指示を決定する動作指示部とを備えることを特徴とする測定装置。
【請求項２】
前記測定ユニットには、前記音声信号の無線による送信を指示するための音声送信指示部が備えられていることを特徴とする請求項１に記載の測定装置。
【請求項３】
前記本体が、所定の語句に対応する前記動作指示を予め記憶する指示内容辞書を備え、前記動作指示部が、前記音声認識部の認識した前記文字情報を、前記指示内容辞書に記憶されている前記所定の語句を参照して、前記動作指示に変換することを特徴とする請求項１又は２に記載の測定装置。
【請求項４】
前記指示内容辞書が記憶する、前記所定の語句、及び／又は前記動作指示を、設定可能であることを特徴とする請求項３に記載の測定装置。
【請求項５】
前記動作指示部が、前記音声信号を認識した前記文字情報に基づいて、前記本体に対する動作指示を、決定可能であることを特徴とする請求項１から４のいずれかに記載の測定装置。
【発明の詳細な説明】
【技術分野】
【０００１】
本発明は、測定ユニットから本体に測定データを無線で送信する測定装置に関するものである。
【背景技術】
【０００２】
温度、湿度、風向、圧力、流量、照度、電気的特性、機械的特性などの測定データを測定する測定ユニットを測定対象物の位置に配置して、本体を測定者の常駐位置に配置したり測定者が持ち歩いたりして、測定ユニットから本体に無線でデータを収集する測定装置がある。このような測定装置の一例が、特許文献１に記載されている。
【０００３】
特許文献１に記載された自動検針システムは、電気、ガス等の検針データを測定して無線装置から測定データを送信するメータ装置（測定ユニット）と、送信された測定データを受信する無線装置に通信回線で繋がっている監視センタ（本体）とを備えている。
【先行技術文献】
【特許文献】
【０００４】
【特許文献１】特開２００２−１５２８５３号公報
【発明の概要】
【発明が解決しようとする課題】
【０００５】
特許文献１に記載された測定装置では、本体が測定データを収集して記録している。測定ユニットの中には、電源の投入や切断に伴い測定の開始や終了をする簡易なものもあるが、高機能なものでは、本体から送信される測定の開始や終了の動作指示に従って動作したり、本体から送信される種々の動作条件（測定条件）の設定指示に従って測定を行ったりするものがある。
【０００６】
このような高機能な測定装置では、測定ユニット側にいる現地オペレータは、測定の開始や終了、動作条件の設定や変更など、動作指示を行いたい場合、測定ユニット側に操作部や表示部が通常無いため、動作内容の指示を行うことができない。そのため、現地オペレータは、本体の場所まで行って動作指示を行ったり、本体側にいる本体オペレータに例えば携帯型無線機を用いて連絡して、本体から測定ユニットに対し測定の開始や終了等の動作指示を行うように依頼したりする必要があるので、煩雑であり、迅速に動作指示を行うことが難しい。測定ユニットに操作部や表示部を設けることも考えられるが、この場合、測定ユニットが大型化すると共に高価なものになってしまう。
【０００７】
本発明は、測定ユニットから本体に無線で測定データを送信する測定装置において、測定ユニットに操作部や表示部が無くても、測定ユニット側から動作指示を行うことができる測定装置を提供することを目的とする。
【課題を解決するための手段】
【０００８】
前記の目的を達成するためになされた、特許請求の範囲の請求項１に記載された測定装置は、測定データを測定する測定ユニットと本体とが各々無線通信部を有し、前記測定ユニットの動作内容を指示する動作指示を、前記本体から前記測定ユニットに無線で送信可能であると共に、前記測定ユニットから前記本体に前記測定データを無線で送信可能な測定装置であって、前記測定ユニットが、音声入力部を備え、この音声入力部から入力される音声信号を、前記本体に無線で送信可能であり、前記本体が、前記音声信号の内容を認識して文字情報に変換する音声認識部と、この音声認識部の認識した文字情報に基づいて、前記測定ユニットに対する前記動作指示を決定する動作指示部とを備えることを特徴とする。
【０００９】
請求項２に記載された測定装置は、請求項１に記載されたものであり、前記測定ユニットには、前記音声信号の無線による送信を指示するための音声送信指示部が備えられていることを特徴とする。
【００１０】
請求項３に記載された測定装置は、請求項１又は２に記載されたものであり、前記本体が、所定の語句に対応する前記動作指示を予め記憶する指示内容辞書を備え、前記動作指示部が、前記音声認識部の認識した前記文字情報を、前記指示内容辞書に記憶されている前記所定の語句を参照して、前記動作指示に変換することを特徴とする。
【００１１】
請求項４に記載された測定装置は、請求項３に記載されたものであり、前記指示内容辞書が記憶する、前記所定の語句、及び／又は前記動作指示を、設定可能であることを特徴とする。
【００１２】
請求項５に記載された測定装置は、請求項１から４のいずれかに記載されたものであり、前記動作指示部が、前記音声信号を認識した前記文字情報に基づいて、前記本体に対する動作指示を、決定可能であることを特徴とする。
【発明の効果】
【００１３】
本発明の測定装置によれば、測定ユニット側で話した音声信号によって、測定ユニットに対して動作指示を簡便、迅速に行うことができる。又、音声認識に必要な音声認識部を本体に設け、簡単な音声入力回路を測定ユニットに設けているので、測定ユニットの回路はさほど複雑化せず、小型化に有利である。
【００１４】
測定ユニットに、音声信号の送信を指示するための音声送信指示部を備える場合、動作指示の音声のみを本体に送信できるので、例えば周囲音や会話音声による誤動作を防止することができる。
【００１５】
本体が、所定の語句に対応する動作指示を予め記憶する指示内容辞書を備え、この指示内容辞書に記憶されている所定の語句を参照して、動作指示に変換する場合、音声信号を動作指示に確実に変換することができため、動作指示を迅速かつ正確に行うことができる。
【００１６】
指示内容辞書が記憶する所定の語句、及び／又は動作指示を、設定可能である場合、測定者が行う測定内容に適した語句や動作指示を記憶させることができるので、測定者は動作指示を一層簡便に行うことができる。
【００１７】
動作指示部が音声信号を認識した文字情報に基づいて、本体の動作条件の決定が可能である場合、例えば本体のオペレータが不在であっても、測定ユニットから本体の動作を指示できるので、一層便利である。
【図面の簡単な説明】
【００１８】
【図１】本発明を適用する測定装置の使用状態を示す概要図である。
【図２】本発明を適用する測定装置のうちの本体のブロック図である。
【図３】本発明を適用する測定装置のうちの測定ユニットのブロック図である。
【図４】本発明を適用する測定装置の本体と測定ユニットとの通信シーケンスである。
【図５】指示内容辞書の内容を示すテーブルである。
【発明を実施するための形態】
【００１９】
以下、本発明を実施するための形態を詳細に説明するが、本発明の範囲はこれらの形態に限定されるものではない。
【００２０】
本発明を適用する測定装置の一例を、図１に示す。この測定装置は、例えばデータロガーであり、本体１、及び測定ユニット２（２Ａ，２Ｂ，２Ｃ）を備え、各測定ユニット２の測定した測定データを本体１に無線で送信可能に構成されている。
【００２１】
本体１には、一例として、携帯型の筐体の正面に、表示部２１、及び複数の操作ボタンによる操作部２２が設けられていると共に、筐体の一側面に、外部Ｉ／Ｆ（インタフェース）部２８、及びメディアスロット２９が設けられている。本体１は、各測定ユニット２が無線で送信する測定データを受信して記録し、表示部２１にグラフや数値で表示する。
【００２２】
測定ユニット２には、一例として、携帯型の小型の筐体の正面にマイク４１が設けられ、一側面に音声指示ボタン３７が配置され、他の一側面に外部マイク５０を接続可能なコネクタ４２が設けられ、別の他の一側面に測定用センサー８１が着脱可能に接続されている。測定用センサー８１が複数チャネル分接続可能であってもよい。各測定ユニット２は各測定対象の近くに配置され、その測定用センサー８１が測定対象に取り付けられて測定が行われる。
【００２３】
図２に、本体１のブロック図を示す。本体１は、本体制御部となるＣＰＵ（中央演算処理装置）１１、無線通信部１２、表示部２１、操作部２２、測定データ記憶部２３、動作条件記憶部２４、指示内容辞書２５、音声認識部２６、外部Ｉ／Ｆ部２８、及びメディアスロット２９を備えている。又、図示しないが、本体１は、電池を電源として内蔵している。
【００２４】
ＣＰＵ１１は、プログラム記憶部（不図示）に記憶されているプログラムに従って動作して、本体１の動作を統括的に制御する。ＣＰＵ１１は、本発明における動作指示部としても動作する。
【００２５】
無線通信部１２は、無線送信回路及び無線受信回路（不図示）を備えると共にアンテナを備え、本体１から各測定ユニット２に対する動作指示、測定データ、音声信号等を、後述する測定ユニット２の無線通信部３２（図３参照）と無線で通信（送受信）可能なものである。無線通信部１２として、測定データ等のデータを送受信するデータ通信用の無線通信部と、音声信号を専用に送受信する音声通信用無線通信部との２つの別個の無線通信部（無線通信回路）を用いてもよいが、データと音声信号とを１つの共通の無線通信部で送受信できるものを用いたほうが、部品点数を少なくできるのでより好ましい。
【００２６】
無線通信部１２には、公知のものを用いることができる。例えば、設定データ等で変調する無線信号の変調方式（アナログ変調、デジタル変調等）、無線信号周波数、無線信号の送信出力、半複信方式か複信方式か、無線通信規格などは、適宜公知の方式から選択して用いればよい。無線通信部１２が送受信する無線信号は、電波、赤外線、又は光のいずれの無線信号であってもよいが、見通し外でも通信できることや通信距離を比較的長くできることから電波を用いることが好ましい。無線通信部１２は、ＣＰＵ１１に動作を制御される。
【００２７】
１０ｍ〜数１００ｍ程度の近距離通信を行う場合、無線通信部１２として、Ｂｌｕｅｔｏｏｔｈ（登録商標）規格に準拠したものを用いることが、特に好ましい。その理由は、Ｂｌｕｅｔｏｏｔｈ規格に準拠した小型の無線モジュールが、多くのメーカーから安価に市販されていて入手性が良く、又、使用のための免許が不要なためである。更に、Ｂｌｕｅｔｏｏｔｈ規格には、データ通信用のプロファイル（プロトコル）、及び音声通信用のプロファイルが規定されているため、データ通信及び音声通信を同時に簡便に行うことができるためである。又、市販されているＢｌｕｅｔｏｏｔｈ規格に準拠した無線モジュールは、アンテナを内蔵しているため、装置を小型化することができる。
【００２８】
表示部２１は、例えば液晶パネルであり、ＣＰＵ１１に制御されて、例えば測定ユニット２から受信した測定データをグラフや数値で表示したり、動作条件設定用画面を表示したりするものである。
【００２９】
操作部２２は、カーソルキー、機能選択ボタン、数値入力ボタンやキーボード、マウスなどであり、ＣＰＵ１１に接続されている。表示部２１及び操作部２２として、タッチパネルを用いてもよい。
【００３０】
測定データ記憶部２３は、測定データを記憶するためのものである。動作条件記憶部２４は、設定された測定条件や表示条件などの動作条件を記憶するためのものである。指示内容辞書２５は、所定の語句に対応する動作指示を予め記憶するメモリである。指示内容辞書２５は、所定の語句や動作指示の内容の追加や変更ができるように設定可能な不揮発性メモリであることが好ましい。測定データ記憶部２３、動作条件記憶部２４、指示内容辞書２５は、フラッシュＲＯＭやハードディスクなどの書き換え可能な不揮発性メモリを、共用して用いてもよいし、各々別個のメモリを用いてもよい。
【００３１】
音声認識部２６は、ヒトが話した内容を、その音声（音声信号）を解析処理することで認識し、文字情報として出力するものである。音声認識部２６として、公知の種々のものを用いることができる。音声認識部２６は、例えば、ＣＰＵと音声認識処理を行うための公知の音声認識用プログラムとによって実現されている。音声認識部２６のＣＰＵを、ＣＰＵ１１と共用してもよいし、別個のものを用いてもよい。
【００３２】
外部Ｉ／Ｆ部２８は、例えば有線又は無線によるＬＡＮ（ローカル・エリア・ネットワーク）接続用の回路やＵＳＢ（ユニバーサル・シリアル・バス）接続用の回路であり、例えばコンピュータなどの外部装置に測定データを出力するためのものである。メディアスロット２９は、ＳＤメモリカードやＵＳＢメモリ、フレキシブルディスクなどの外部記録媒体を装着して、測定データを書き込むための回路である。
【００３３】
図３に、測定ユニット２のブロック図を示す。測定ユニット２は、測定ユニット制御部となるＣＰＵ３１、無線通信部３２、音声入力部３３、動作条件記憶部３４、センサー接続用コネクタ３５、測定用回路３６、及び音声指示ボタン３７を備えている。又、図示しないが、測定ユニット２は、電池を電源として内蔵している。
【００３４】
ＣＰＵ３１は、プログラム記憶部（不図示）に記憶されているプログラムに従って動作して、測定ユニット２の動作を統括的に制御する。
【００３５】
無線通信部３２は、本体１の無線通信部１２と同様のものであり、本体１の無線通信部１２と、動作指示、測定データ、及び音声信号等を、無線で通信（送受信）可能なものである。無線通信部３２は、その動作をＣＰＵ３１に制御される。無線通信部３２として、Ｂｌｕｅｔｏｏｔｈ規格に準拠したものを用いることが特に好ましい。Ｂｌｕｅｔｏｏｔｈ規格に準拠した無線モジュールの中には、データの他に音声信号を無線通信するために、音声信号をアナログ／デジタル変換するＰＣＭ（パルス符号変調）変換器を備えているものがあり、そのＰＣＭ変換器を後述するＡＤＣ４５として用いることで、部品点数を少なくすることができ、装置を一層小型化することができる。
【００３６】
音声入力部３３は、動作指示を音声で設定するために、音声信号を入力するための回路である。この例では、音声入力部３３は、マイク４１、コネクタ４２、切換回路４３、マイクアンプ４４、及びＡＤＣ（アナログ／デジタル変換器）４５によって構成されている。マイク４１は、音（音声）を電気信号に変換して音声信号を入力するためのものである。コネクタ４２は、外部から音声信号を入力するためのものであり、外部マイク５０（図1参照）のプラグ５１を挿入可能な例えばジャックである。この例では、マイク４１及びコネクタ４２の両方を備える例を示しているが、何れか一方だけを備えるようにしてもよい。切換回路４３は、外部マイク５０がコネクタ４２に接続されたときに、外部マイク５０を生かすように切り換え、外部マイク５０が接続されないときに、内部のマイク４１を生かすように切り替えるスイッチ回路である。切換回路４３を用いずに、マイク４１及び外部マイク５０を両方生かすようにしてもよい。切換回路４３の出力は、音声信号を適切なレベルに増幅するマイクアンプ４４に接続されている。マイクアンプ４４の出力は、音声信号を所定サンプリング周波数でサンプリングしてデジタル信号（例えばＰＣＭ信号）に変換するＡＤＣ４５に接続されている。ＡＤＣ４５の出力はＣＰＵ１１に接続されている。
【００３７】
センサー接続用コネクタ３５には、測定用センサー８１が接続されて使用される。測定用センサー８１は、例えば温度センサー、湿度センサー、風向センサー、圧力センサー、流量センサー、照度センサー、電気的な特性値を測定する例えば電流センサー、機械的な特性値を測定する例えば歪センサーなどである。センサー接続用コネクタ３５を設けずに測定ユニット２に測定用センサー８１のケーブルが着脱不能に接続されていてもよく、測定ユニット２内に測定用センサー８１が内蔵されていてもよい。又、例えば測定ユニット２が電圧値を測定する場合、センサー接続用コネクタ３５が測定用プローブを接続するためのＢＮＣ型コネクタであってもよく、一対の銅線を有する端子台であってもよい。測定対象に対応するように、センサー接続用コネクタ３５や測定用センサー８１は、適宜変更すればよい。
【００３８】
測定用回路３６は、一例として測定信号を適正なレベルに増幅するための低ノイズアンプ、及びＡＤＣを備えている。センサー接続用コネクタ３５、測定用回路３６、ＣＰＵ３１の順に接続されていて、測定用センサー８１の出力する測定信号がデジタル信号に変換されてＣＰＵ３１に入力されるようになっている。
【００３９】
動作条件記憶部３４は、測定条件などの動作条件を記憶するためのものであり、例えばフラッシュメモリなどの書き換え可能な不揮発性メモリである。
【００４０】
音声指示ボタン３７は、音声信号の無線による送信を指示するための音声送信指示部の一例であり、例えば押しボタン式のスイッチである。音声指示ボタン３７は、ＣＰＵ１１に接続されている。
【００４１】
次に、本体１及び測定ユニット２を備える測定装置の動作について説明する。
【００４２】
本発明の測定装置は、測定の開始や終了などの動作指示、測定ユニット２の測定条件や本体１に表示する測定データのグラフの表示条件などの測定装置の動作条件（動作指示の他の一例）の設定を、本体１で行うこともできるし、各測定ユニット２で行うこともできる。
【００４３】
本体１で動作条件の設定を行う場合、本体オペレータは、例えば表示部２１に表示される設定項目を見ながら操作部２２を操作して、動作条件として、例えば、電圧や電流などの測定種別、測定レンジやサンプリングタイムなどの測定条件や、グラフ表示する電圧軸や時間軸、表示位置などの表示条件を設定する。本体１のＣＰＵ１１（動作指示部）は、設定された動作条件を動作条件記憶２４に記憶する。又、本体１のＣＰＵ１１は、無線通信部１２を制御して、設定された動作条件（測定条件）を、測定ユニット２に無線で送信する。測定ユニット２のＣＰＵ３１は、無線通信部３２が受信した動作条件を、動作条件記憶部３４に記憶させる。
【００４４】
本体オペレータが本体１の操作部２２を操作して、測定開始の操作を行ったときは、本体１のＣＰＵ１１が、測定開始を指示する動作指示を、直ちに、測定ユニット２に無線で送信する。測定ユニット２のＣＰＵ３１は、本体１の送信した測定開始の動作指示を受信したときに、動作条件記憶部３４に記憶されている動作条件で、直ちに測定を開始する。測定を開始した測定ユニット２は、測定用回路３６から出力される測定用センサー８１の測定した測定データを、無線で本体１に順次送信する。
【００４５】
本体１のＣＰＵ１１は、測定ユニット２が送信する測定データを、測定データ記憶部２３に順次記憶させると共に、動作条件記憶部２４に記憶されている表示条件で、表示部２１にグラフ表示する。
【００４６】
本体オペレータが本体１の操作部２２を操作して、測定終了の操作を行ったときは、本体１のＣＰＵ１１が、測定終了を指示する動作指示を、直ちに、測定ユニット２に無線で送信する。測定ユニット２のＣＰＵ３１は、本体１の送信した測定終了の動作指示を受信したときに、直ちに測定を終了する。
【００４７】
現地オペレータが測定ユニット２で動作指示の設定を行う場合、図４に示す通信シーケンスのように動作して、測定ユニット２に動作指示が送信される。
【００４８】
現地オペレータは、測定ユニット２の音声指示ボタン３７を押しながら、マイク４１又は外部マイク５０に向かって、動作指示の内容を意味する所定の語句を話す。図４のステップＳ１に示すように、測定ユニット２のＣＰＵ３１は、音声指示ボタン３７がオンになっているときに、無線通信部３２を制御して、音声入力部３３が出力する音声信号を、本体１に無線で送信する。音声指示ボタン３７がオフになると、ＣＰＵ３１は、音声信号の送信を終了する。音声指示ボタン３７が押されているときにだけ、音声入力部３３に電源を供給することが、省電力化の観点から好ましい。
【００４９】
本体１のＣＰＵ１１は、同図のステップＳ２に示すように、無線通信部１２が受信した音声信号を、音声認識部２６に出力し、文字情報に変換させる。音声認識部２６には、音声認識を行うときにだけ電源を供給することが、省電力の観点から好ましい。
【００５０】
続いて、ＣＰＵ１１は、本発明における動作指示部として動作して、ステップＳ３に示すように、音声認識部２６が出力する文字情報を、指示内容辞書２５を参照して、動作指示を決定する。続いて、ＣＰＵ１１は、ステップＳ４に示すように、決定した動作指示を測定ユニット２に送信する。続いて、ステップＳ５に示すように、動作指示を受信した測定ユニット２のＣＰＵ３１は、動作指示に従って動作を行う。
【００５１】
例えば、音声信号が「開始」であれば、本体１は測定ユニット２に測定を開始させ、音声信号が「終了」であれば、本体１は測定ユニット２に測定を終了させる。音声信号が「電圧」であれば、本体１は測定ユニット２に測定条件の測定種別を「電圧」に設定する。動作指示が、測定条件（動作条件）の設定である場合には、ステップＳ５で、測定ユニット２のＣＰＵ３１は、その動作条件を動作条件記憶部３４に記憶させる。
【００５２】
このように、現地オペレータが測定ユニット２で動作指示の内容を話すことで、動作指示に従って測定ユニット２が動作するので、例えば現地オペレータが本体１までわざわざ行って動作指示したり、本体オペレータに無線通信機で連絡して本体１から動作指示してもらったりする必要がなく、測定ユニット２側で、簡便かつ迅速に動作指示することができる。
【００５３】
測定ユニット２に発光ダイオード等のランプや、ブザー等の音発生器を、設定確認部として設けてもよい。この場合、測定ユニット２のＣＰＵ３１は、本体１から動作指示を無線で設定されたときに設定確認部を作動させて、例えば、数秒間、ランプを点灯させたり、音発生器から音を発生させたりして、確認用のアラームを出力させる。このような設定確認部を設けることで、現地オペレータは、測定ユニット２に動作指示が行えたことを確認することができる。
【００５４】
図５に示すように、指示内容辞書２５には、動作指示を音声で設定できるように、設定に用いられる所定の語句に対応する動作指示を、一例としてテーブル形式で予め記憶させておくことが好ましい。このように、所定の語句に対する動作指示を記憶させておくことで、音声で確実に動作指示することができる。なお、同図の例は、指示内容辞書２５に記憶されている所定の語句及び動作指示の一部であり、オペレータが設定のために話す可能性のある語句を、指示内容辞書２５に予め多数登録しておくことが好ましい。
【００５５】
例えば、指示内容辞書２５に、測定を開始させる動作指示用の語句として、「開始」及び「スタート」の２つの語句を記憶させておく。このように、１つの動作指示に対して、音声で話される可能性のある複数の所定の語句を指示内容辞書２５に記憶させておくと、オペレータは使いやすい語句で動作設定することができるため、使用し易い装置になる。
【００５６】
又、指示内容辞書２５に、例えば「グラフ表示オン」のような、本体１に対する動作指示及び語句を記録しておき、測定ユニット２で話された音声で、本体１の動作を指示（制御）するようにしてもよい。この場合、ＣＰＵ１１（動作指示部）が、指示内容辞書２５を参照して、測定ユニット２で話された音声信号に対応する語句から、本体１の動作に変換（決定）する。このように、測定ユニット２から本体１に対する動作指示を行えるようにすると、例えば本体１側にオペレータがいなくても本体１の動作を制御できるので、便利である。
【００５７】
指示内容辞書２５に登録された内容は、例えば測定装置の製造販売メーカーが、所定の語句とそれに対する動作指示を、予め指示内容辞書２５に登録して装置を販売する。指示内容辞書２５の登録内容は、測定者（オペレータ）によって、追加や変更を行えるようにすることが好ましい。又、指示内容辞書２５の登録内容は、所定の語句に対応させて、複数の動作指示を設定できるようにすることが好ましい。例えば、図５に示すテーブルの下の２つの各行は、所定の語句に対応する複数の動作条件を登録設定した例である。同図のテーブルの下から２行目は、「検査１」という語句に対応させて、音声が話された測定ユニット２に対する複数の動作指示、及び本体１に対する複数の動作指示を記録したものであり、同図のテーブルの下から１行目は、「検査２」という語句に対応させて、測定ユニット２Ａ〜２Ｃに対する複数の動作指示、及び本体１に対する複数の動作指示を記録したものである。この場合、現地オペレータが測定ユニット２で所定の語句を話すだけで、本体１や測定ユニット２に複数の動作指示を一括して設定できるため、より好ましい。
【００５８】
指示内容辞書２５への追加や変更は、図示しないが、例えば本体１の操作部２２の操作によって指示内容辞書編集モードが選択されたときに、ＣＰＵ１１が、表示部２１に図５に示したテーブルの内容を表示させて、操作部２２の操作により、テーブルへの追加や変更を行えるようにする。又、例えば、外部Ｉ／Ｆ部２８で接続される外部のコンピュータや、メディアスロット２９に装着される外部記録媒体から新たなテーブルやテーブルの追加内容や変更内容を読み込んで、指示内容辞書２５に記憶させるようにしてもよい。又、指示内容辞書２５に製造販売メーカーが標準的な語句と処理内容とを記憶させ、メディアスロット２９に装着される外部記録媒体に、測定者が追加や変更した所定の語句や処理内容を記憶させ、指示内容辞書２５と外部記録媒体とを合わせて、指示内容辞書として用いるようにしてもよい。要は、ＣＰＵ１１が指示内容辞書を参照することができれば、どこにあってもよい。
【００５９】
なお、測定ユニット２に、音声送信指示部の一例として、音声指示ボタン３７を設けた例について説明したが、音声指示ボタン３７に換えて、音声入力部３３から入力される音声レベルが所定レベル以上であるか否かを検出する音声検出部を設けてもよい。この場合、音声検出部が所定レベル以上の音声信号を検出したときに、ＣＰＵ３１は、音声信号を無線で送信する。この場合、オペレータが音声指示ボタン３７を操作する手間が省けるので好ましい。又、測定ユニット２に、音声送信指示部を設けずに、常時、音声入力部３３の出力する音声信号を無線で送信するようにしてもよい。この場合、意図しない音や現地オペレータ同士の会話音声で、動作指示が誤設定されないように、現地オペレータは、例えば「コマンド」や「指示」など、音声入力を開始することを示す特定の語句を最初に話した後に、動作指示用の語句を話すようにすることが好ましい。本体１のＣＰＵ１１は、音声信号の中から「コマンド」等の特定の語句を検出し、その後に続く語句によって動作指示を決定するようにする。
【００６０】
また、本体１の操作部２２の操作、及び、測定ユニット２に入力される音声信号のいずれでも、測定ユニット２の動作指示を行うことができる場合、本体オペレータ及び現地オペレータの両者が動作指示できて便利であるが、必要性に応じて、測定ユニット２に入力される音声信号だけで、測定ユニット２に対し動作指示を行うようにしてもよい。
【符号の説明】
【００６１】
１は本体、２・２Ａ・２Ｂ・２Ｃは測定ユニット、１１はＣＰＵ、１２は無線通信部、２１は表示部、２２は操作部、２３は測定データ記憶部、２４は動作条件記憶部、２５は指示内容辞書、２６は音声認識部、２８は外部Ｉ／Ｆ部、２９はメディアスロット、３１はＣＰＵ、３２は無線通信部、３３は音声入力部、３４は動作条件記憶部、３５はセンサー接続用コネクタ、３６は測定用回路、３７は音声指示ボタン、４１はマイク、４２はコネクタ、４３は切換回路、４４はマイクアンプ、４５はＡＤＣ、５０は外部マイク５０、５１はプラグ、８１は測定用センサーである。
【図１】
2014119585.tif 000003
【図２】
2014119585.tif 000004
【図３】
2014119585.tif 000005
【図４】
2014119585.tif 000006
【図５】
2014119585.tif 000007